(57)【要約】【課題】樹脂成形用金型へ組み込みやすく、また構成が単純でコストが嵩まないようにした樹脂成形用金型装置を提供する。【解決手段】アンダーカット部Ｐ１を逃げるための装置であり、エジェクタピン２１の先端部２３に連結されるアンダーカット抜き装置３０が可動型１５に設けられ、アンダーカット抜き装置３０は、可動型１５内に収容されるホルダ４０と、エジェクタピン２１の先端部２３が連結されてホルダ４０内で抜き方向に摺動可能に保持される保持駒５０と、保持駒５０に型抜き方向とは交差する逃げ方向に移動可能に嵌合された逃げ動作駒６０とより成り、ホルダ４０と逃げ動作駒６０との一方には斜溝４１または斜条６３が設けられ、他方は、斜溝４１または斜条６３に摺動可能に嵌合し、逃げ動作駒６０が型抜き動作時にアンダーカットからの逃げ方向に移動可能に構成されている。【選択図】図１
2007176047.tif 000002
【特許請求の範囲】
【請求項１】
樹脂成形品の型抜き時にアンダーカット部を逃げるための樹脂成形用金型装置において、
エジェクタピンが型抜き動作方向に突き出せるように、該エジェクタピンの基端部がエジェクタ台板に固結され、該エジェクタピンの先端部に連結されるアンダーカット抜き装置が可動型に設けられて成り、
前記アンダーカット抜き装置は、前記可動型内に収容されるホルダと、前記エジェクタピンの先端部に連結されて該ホルダ内で型抜き方向に摺動可能に成される保持駒と、該保持駒に型抜き方向とは交差するアンダーカットからの逃げ方向に移動可能に嵌合された逃げ動作駒とより成り、
前記ホルダと前記逃げ動作駒との一方には斜溝または斜条が設けられ、他方は、該斜溝または斜条に摺動可能に嵌合し、前記逃げ動作駒が型抜き動作時にアンダーカットからの逃げ方向に移動可能に構成され、
型抜き動作時の前記エジェクタピンの突き出し動作に従い前記保持駒が型抜き動作方向に移動すると、該保持駒に押された前記逃げ動作駒が、型抜き動作方向に移動するとともにアンダーカットからの逃げ方向に移動し、樹脂成形品を型抜き可能にすることを特徴とする樹脂成形用金型装置。
【請求項２】
樹脂成形品の型抜き時にアンダーカット部を逃げるための樹脂成形用金型装置において、
エジェクタピンが型抜き動作方向に突き出せるように、該エジェクタピンの基端部がエジェクタ台板に固結され、該エジェクタピンの先端部に連結されるアンダーカット抜き装置が可動型に設けられて成り、
前記アンダーカット抜き装置は、前記可動型内に収容されるホルダと、前記エジェクタピンの先端部に連結されて該ホルダ内で型抜き方向に摺動可能に成される保持駒と、該保持駒に型抜き方向とは交差するアンダーカットからの逃げ方向に移動可能でかつ該保持駒とは離脱しないように嵌合された逃げ動作駒とより成り、
前記ホルダと前記逃げ動作駒との一方には斜溝または斜条が設けられ、他方は、該斜溝または斜条に摺動可能に嵌合し、前記逃げ動作駒が型抜き動作時にアンダーカットからの逃げ方向に移動可能に構成され、
型抜き動作時の前記エジェクタピンの突き出し動作に従い前記保持駒が型抜き動作方向に移動すると、該保持駒に押された前記逃げ動作駒が、型抜き動作方向に移動して前記ホルダから突出するとともにアンダーカットからの逃げ方向に移動し、樹脂成形品を型抜き可能にすることを特徴とする樹脂成形用金型装置。
【請求項３】
樹脂成形品の型抜き時にアンダーカット部を逃げるための樹脂成形用金型装置において、
エジェクタピンが型抜き動作方向に突き出せるように、該エジェクタピンの基端部がエジェクタ台板に固結され、該エジェクタピンの先端部に連結されるアンダーカット抜き装置が可動型に設けられて成り、
前記アンダーカット抜き装置は、前記可動型内に出没可能に収容されるホルダと、前記エジェクタピンの先端部に連結されて該ホルダ内で型抜き方向に摺動可能に成される保持駒と、該保持駒に型抜き方向とは交差するアンダーカットからの逃げ方向に移動可能に嵌合された逃げ動作駒とより成り、
前記ホルダと前記逃げ動作駒との一方には斜溝または斜条が設けられ、他方は、該斜溝または斜条に摺動可能に嵌合し、前記逃げ動作駒が型抜き動作時にアンダーカットからの逃げ方向に移動可能に構成され、
型抜き動作時の前記エジェクタピンの突き出し動作に従い前記保持駒が型抜き動作方向に移動すると、該保持駒に押された前記逃げ動作駒が、型抜き動作方向に移動するとともにアンダーカットからの逃げ方向に移動し、さらに前記ホルダも該逃げ動作駒を保持して前記可動型から突出して、樹脂成形品を型抜き可能にすることを特徴とする樹脂成形用金型装置。
【請求項４】
樹脂成形品の型抜きのストロークが大きい場合に前記ホルダおよび逃げ動作駒を該ストロークに応じた長さに設定することを特徴とする請求項１，２または３に記載の樹脂成形用金型装置。
【請求項５】
相対する双方向に逃げ動作を要するものにおいて、前記逃げ動作駒を向かい合わせて一対配設し、型抜き動作時の前記エジェクタピンの突き出し動作に従い該一対の逃げ動作駒が相互に反対方向のアンダーカットからの逃げ方向に移動するようにしたことを特徴とする請求項１，２または３に記載の樹脂成形用金型装置。
【請求項６】
前記保持駒を前記エジェクタピンの上部に一体的に設けたことを特徴とする請求項１，２または３に記載の樹脂成形用金型装置。
【請求項７】
樹脂成形品のアンダーカット部を成形する部分型を前記逃げ動作駒に固定し、型抜き動作時に前記逃げ動作駒とともに該部分型も一体的にアンダーカットからの逃げ方向に移動するようにしたことを特徴とする請求項１，２または３に記載の樹脂成形用金型装置。
【請求項８】
樹脂成形用金型の型開き動作時にアンダーカット部を逃げるための樹脂成形用金型装置において、
樹脂成形品のアンダーカット部を成形する部分型を保持するアンダーカット抜き装置が固定型に設けられて成り、
前記アンダーカット抜き装置は、前記固定型内に収容されるホルダと、該ホルダ内で型開き方向に摺動可能に成された保持駒と、該保持駒に型開き方向とは交差するアンダーカット逃げ方向に移動可能に嵌合されかつ前記部分型を保持した逃げ動作駒とより成り、
前記ホルダと前記逃げ動作駒との一方には斜溝または斜条が設けられ、他方は、該斜溝または斜条に摺動可能に嵌合し、前記逃げ動作駒が型開き動作時にアンダーカットからの逃げ方向に移動可能に構成され、
型開き動作時に可動型が固定型から離間するに従い、前記逃げ動作駒がアンダーカットからの逃げ方向に移動し、樹脂成形品を型抜き可能にすることを特徴とする樹脂成形用金型装置。
【請求項９】
請求項１〜７または８に記載の樹脂成形用金型装置による樹脂成形品の製造方法。
【発明の詳細な説明】
【技術分野】
【０００１】
本発明は、樹脂成形品の型抜き時にアンダーカット部を抜くための樹脂成形用金型装置に関する。
【背景技術】
【０００２】
従来の技術としては、例えば特許文献１に示すようなものがある。  
すなわち、特許文献１には、傾斜配置されたルーズコア支持ロッドの動作により樹脂成形品の型抜き時にアンダーカット部を抜くようにした技術が開示されている。
【０００３】
【特許文献１】特開２００２−３２６２３３号公報
【発明の開示】
【発明が解決しようとする課題】
【０００４】
しかしながら、このような従来の技術では、ルーズコア支持ロッドが傾斜配置されているため、樹脂成形品のアンダーカットの抜きのために必要なアンダーカット部分形状を施した駒の移動量に比べて大きな装置設置スペースを要し、樹脂成形用金型への傾斜加工を要しかつ組み込みにくく、また構造が複雑となりコストダウンが難しいという問題点があった。
【０００５】
本発明は、このような従来の技術が有する問題点に着目してなされたもので、樹脂成形用金型への加工および組み込みが容易で、また構成が単純でコストが嵩まないようにした樹脂成形用金型装置を提供することを目的としている。
【課題を解決するための手段】
【０００６】
かかる目的を達成するための本発明の要旨とするところは、次の各項の発明に存する。
［１］樹脂成形品（Ｐ）の型抜き時にアンダーカット部（Ｐ１）を逃げるための樹脂成形用金型装置（２０）において、
エジェクタピン（２１）が型抜き動作方向に突き出せるように、該エジェクタピン（２１）の基端部（２２）がエジェクタ台板（１７）に固結され、該エジェクタピン（２１）の先端部（２３）に連結されるアンダーカット抜き装置（３０）が可動型（１５）に設けられて成り、
前記アンダーカット抜き装置（３０）は、前記可動型（１５）内に収容されるホルダ（４０）と、前記エジェクタピン（２１）の先端部（２３）に連結されて該ホルダ（４０）内で型抜き方向に摺動可能に成される保持駒（５０）と、該保持駒（５０）に型抜き方向とは交差するアンダーカットからの逃げ方向に移動可能に嵌合された逃げ動作駒（６０）とより成り、
前記ホルダ（４０）と前記逃げ動作駒（６０）との一方には斜溝（４１）または斜条（６３）が設けられ、他方は、該斜溝（４１）または斜条（６３）に摺動可能に嵌合し、前記逃げ動作駒（６０）が型抜き動作時にアンダーカットからの逃げ方向に移動可能に構成され、
型抜き動作時の前記エジェクタピン（２１）の突き出し動作に従い前記保持駒（５０）が型抜き動作方向に移動すると、該保持駒（５０）に押された前記逃げ動作駒（６０）が、型抜き動作方向に移動するとともにアンダーカットからの逃げ方向に移動し、樹脂成形品（Ｐ）を型抜き可能にすることを特徴とする樹脂成形用金型装置（２０）。
【０００７】
［２］樹脂成形品（Ｐ）の型抜き時にアンダーカット部（Ｐ１）を逃げるための樹脂成形用金型装置（２０）において、
エジェクタピン（２１）が型抜き動作方向に突き出せるように、該エジェクタピン（２１）の基端部（２２）がエジェクタ台板（１７）に固結され、該エジェクタピン（２１）の先端部（２３）に連結されるアンダーカット抜き装置（３０）が可動型（１５）に設けられて成り、
前記アンダーカット抜き装置（３０）は、前記可動型（１５）内に収容されるホルダ（４０）と、前記エジェクタピン（２１）の先端部（２３）に連結されて該ホルダ（４０）内で型抜き方向に摺動可能に成される保持駒（５０）と、該保持駒（５０）に型抜き方向とは交差するアンダーカットからの逃げ方向に移動可能でかつ該保持駒（５０）とは離脱しないように嵌合された逃げ動作駒（６０）とより成り、
前記ホルダ（４０）と前記逃げ動作駒（６０）との一方には斜溝（４１）または斜条（６３）が設けられ、他方は、該斜溝（４１）または斜条（６３）に摺動可能に嵌合し、前記逃げ動作駒（６０）が型抜き動作時にアンダーカットからの逃げ方向に移動可能に構成され、
型抜き動作時の前記エジェクタピン（２１）の突き出し動作に従い前記保持駒（５０）が型抜き動作方向に移動すると、該保持駒（５０）に押された前記逃げ動作駒（６０）が、型抜き動作方向に移動して前記ホルダ（４０）から突出するとともにアンダーカットからの逃げ方向に移動し、樹脂成形品（Ｐ）を型抜き可能にすることを特徴とする樹脂成形用金型装置（２０）。
【０００８】
［３］樹脂成形品（Ｐ）の型抜き時にアンダーカット部（Ｐ１）を逃げるための樹脂成形用金型装置（２０）において、
エジェクタピン（２１）が型抜き動作方向に突き出せるように、該エジェクタピン（２１）の基端部（２２）がエジェクタ台板（１７）に固結され、該エジェクタピン（２１）の先端部（２３）が連結されるアンダーカット抜き装置（３０）が可動型（１５）に設けられて成り、
前記アンダーカット抜き装置（３０）は、前記可動型（１５）内に出没可能に収容されるホルダ（４０）と、前記エジェクタピン（２１）の先端部（２３）に連結されて該ホルダ（４０）内で型抜き方向に摺動可能に成される保持駒（５０）と、該保持駒（５０）に型抜き方向とは交差するアンダーカットからの逃げ方向に移動可能に嵌合された逃げ動作駒（６０）とより成り、
前記ホルダ（４０）と前記逃げ動作駒（６０）との一方には斜溝（４１）または斜条（６３）が設けられ、他方は、該斜溝（４１）または斜条（６３）に摺動可能に嵌合し、前記逃げ動作駒（６０）が型抜き動作時にアンダーカットからの逃げ方向に移動可能に構成され、
型抜き動作時の前記エジェクタピン（２１）の突き出し動作に従い前記保持駒（５０）が型抜き動作方向に移動すると、該保持駒（５０）に押された前記逃げ動作駒（６０）が、型抜き動作方向に移動するとともにアンダーカットからの逃げ方向に移動し、さらに前記ホルダ（４０）も該逃げ動作駒（６０）を保持して前記可動型（１５）から突出して、樹脂成形品（Ｐ）を型抜き可能にすることを特徴とする樹脂成形用金型装置（２０）。
【０００９】
［４］樹脂成形品（Ｐ）の型抜きのストロークが大きい場合に前記ホルダ（４０）および逃げ動作駒（６０）を該ストロークに応じた長さに設定することを特徴とする［１］，［２］または［３］に記載の樹脂成形用金型装置（２０）。
【００１０】
［５］相対する双方向に逃げ動作を要するものにおいて、前記逃げ動作駒（６０）を向かい合わせて一対配設し、型抜き動作時の前記エジェクタピン（２１）の突き出し動作に従い該一対の逃げ動作駒（６０）が相互に反対方向のアンダーカットからの逃げ方向に移動するようにしたことを特徴とする［１］，［２］または［３］に記載の樹脂成形用金型装置（２０）。
【００１１】
［６］前記保持駒（５０）を前記エジェクタピン（２１）の上部に一体的に設けたことを特徴とする［１］，［２］または［３］に記載の樹脂成形用金型装置（２０）。
【００１２】
［７］樹脂成形品（Ｐ）のアンダーカット部（Ｐ１）を成形する部分型（１８）を前記逃げ動作駒（６０）に固定し、型抜き動作時に前記逃げ動作駒（６０）とともに該部分型（１８）も一体的にアンダーカットからの逃げ方向に移動するようにしたことを特徴とする［１］，［２］または［３］に記載の樹脂成形用金型装置（２０）。
【００１３】
［８］樹脂成形用金型の型開き動作時にアンダーカット部（Ｐ１）を逃げるための樹脂成形用金型装置（２０）において、
樹脂成形品（Ｐ）のアンダーカット部（Ｐ１）を成形する部分型（１９）を保持するアンダーカット抜き装置（３０）が固定型（１１）に設けられて成り、
前記アンダーカット抜き装置（３０）は、前記固定型（１１）内に収容されるホルダ（４０）と、該ホルダ内（４０）で型開き方向に摺動可能に成された保持駒（５０）と、該保持駒（５０）に型開き方向とは交差するアンダーカット逃げ方向に移動可能に嵌合されかつ前記部分型（１９）を保持した逃げ動作駒（６０）とより成り、
前記ホルダ（４０）と前記逃げ動作駒（６０）との一方には斜溝（４１）または斜条（６３）が設けられ、他方は、該斜溝（４１）または斜条（６３）に摺動可能に嵌合し、前記逃げ動作駒（６０）が型開き動作時にアンダーカットからの逃げ方向に移動可能に構成され、
型開き動作時に可動型（１５）が固定型（１１）から離間するに従い、前記逃げ動作駒（６０）がアンダーカットからの逃げ方向に移動し、樹脂成形品（Ｐ）を型抜き可能にすることを特徴とする樹脂成形用金型装置（２０）。
【００１４】
［９］項１〜７または８に記載の樹脂成形用金型装置（２０）による樹脂成形品（Ｐ）の製造方法。
【００１５】
前記本発明は次のように作用する。  
本発明に係る樹脂成形用金型装置（２０）によれば、樹脂成形品（Ｐ）の成形工程における型抜き動作時にアンダーカット部（Ｐ１）を逃げるためのアンダーカット抜き装置（３０）を容易に組み込むことができる。
【００１６】
アンダーカット抜き装置（３０）が可動型（１５）に設けてあるものは、エジェクタピン（２１）が型抜き動作方向に突き出せるように、該エジェクタピン（２１）の基端部（２２）がエジェクタ台板（１７）に固結され、該エジェクタピン（２１）の先端部（２３）がアンダーカット抜き機構に連結されて、型抜き動作時にエジェクタ台板（１７）の動きに応じて動作する。
【００１７】
成形が終り、可動型（１５）が固定型（１１）から離れると、樹脂成形品（Ｐ）の片側があらわれる。次いでエジェクタ台板（１７）が型抜きのために樹脂成形品（Ｐ）を可動型（１５）から離間させるように移動する。
【００１８】
アンダーカット抜き装置（３０）では、可動型（１５）内に収容されているホルダ（４０）内で、エジェクタピン（２１）の先端部（２３）に連結される保持駒（５０）が該ホルダ（４０）内で型抜き動作方向に摺動する。保持駒（５０）と共に、該保持駒（５０）に型抜き方向とは交差する逃げ方向に移動可能に嵌合された逃げ動作駒（６０）も移動し、ホルダ（４０）と逃げ動作駒（６０）とは相対的に変位する。
【００１９】
ホルダ（４０）と逃げ動作駒（６０）との一方に設けられた斜溝（４１）または斜条（６３）により、逃げ動作駒（６０）は、斜溝（４１）または斜条（６３）に摺動可能に嵌合して案内され、逃げ動作駒（６０）はアンダーカットからの逃げ方向に移動する。
【００２０】
このようにして、型抜き動作時のエジェクタピン（２１）の突き出し動作に従い保持駒（５０）が型抜き動作方向に移動すると、保持駒（５０）に押された逃げ動作駒（６０）が、型抜き方向に移動するとともにアンダーカットからの逃げ方向に移動し、樹脂成形品（Ｐ）を型抜き可能にする。
【００２１】
樹脂成形品（Ｐ）が抜き去られると、エジェクタピン（２１）が成形時の位置に戻るに従い、逃げ動作駒（６０）が保持駒（５０）に引かれて原位置に戻る。可動型（１５）も成形位置に戻って次の樹脂成形品（Ｐ）の成形がなされる。
【００２２】
樹脂成形品（Ｐ）の型抜きのストロークが大きい場合には、ホルダ（４０）および逃げ動作駒（６０）をストロークに応じた長さに設定すればよい。また、逃げ方向に角度がある場合は、保持駒（５０）と逃げ動作駒（６０）との嵌合角度を当該角度に合わせることにより対応することができる。
【００２３】
保持駒（５０）とは離脱しないよう嵌合されて、該保持駒（５０）に型抜き方向とは交差する逃げ方向に移動可能に嵌合された逃げ動作駒（６０）を設けたものでは、逃げ動作駒（６０）は、ホルダ（４０）と逃げ動作駒（６０）との一方に設けられた斜溝（４１）または斜条（６３）に案内され、アンダーカットからの逃げ方向に移動すると共に、さらに、ホルダ（４０）から突出してアンダーカットからの逃げ方向に移動する。
【００２４】
逃げ動作駒（６０）はホルダ（４０）より外に突出するが、保持駒（５０）とは離脱しないよう嵌合されているので保持される。これにより、型抜き動作時のストロークが大きい場合でも対応することができる。
【００２５】
ホルダ（４０）が可動型（１５）内に出没可能に収容されるものは、ホルダ（４０）と逃げ動作駒（６０）との一方に設けられた斜溝（４１）または斜条（６３）に案内され、アンダーカットからの逃げ方向に移動する逃げ動作駒（６０）の動作に加え、ホルダ（４０）も逃げ動作駒（６０）を保持して可動型（１５）から突出して、樹脂成形品（Ｐ）を型抜き可能にする。
【００２６】
ホルダ（４０）が逃げ動作駒（６０）を保持して突出するので、型抜き動作時のストロークが相当に大きい場合でも対応することができる。
【００２７】
対称なるアンダーカット形状を有するボス等のように、相対する双方向にアンダーカット抜き動作を要する樹脂成形品（Ｐ）を対象とするものでは、逃げ動作駒（６０）が向かい合わせて一対配設されており、型抜き動作時のエジェクタピン（２１）の突き出し動作に従い一対の逃げ動作駒（６０）が相互に反対方向のアンダーカットからの逃げ方向に移動して、アンダーカット部（Ｐ１）を逃がして型抜き可能にする。
【００２８】
保持駒（５０）はエジェクタピン（２１）の上端部に一体的に形成して設けることができ、構造が簡単でコストダウンができる。
【００２９】
樹脂成形品（Ｐ）のアンダーカット部（Ｐ１）を成形する部分型（１８）を逃げ動作駒（６０）に固定したものでは、型抜き動作時に逃げ動作駒（６０）とともに部分型（１８）も一体的にアンダーカットからの逃げ方向に移動する。簡単な構成でアンダーカット部（Ｐ１）を成形する部分型（１８）にアンダーカット抜き機能を設けることができる。
【００３０】
樹脂成形品（Ｐ）のアンダーカット部（Ｐ１）を成形する部分型（１９）を保持するアンダーカット抜き装置（３０）が固定型（１１）に設けられたものは、型開き動作時に、部分型（１９）を保持した逃げ動作駒（６０）が固定型（１１）内に収容されるホルダ（４０）に対して変位する。
【００３１】
すなわち、成形が終わって可動型（１５）が固定型（１１）から離間する動作をすると、逃げ動作駒（６０）は、型開き動作時に可動型（１５）が固定型（１１）から離間するに従い、斜溝（４１）または斜条（６３）に案内され、アンダーカットからの逃げ方向に移動し、樹脂成形品（Ｐ）を型抜き可能にする。
【発明の効果】
【００３２】
本発明に係るアンダーカット抜き装置によれば、ホルダ内に所要のアンダーカット抜き機構が一体となって収まっているため、金型構成を小型化することができるとともに、従来のアンダーカット抜き工法で使用されるアンギュラピンならびにルーズコア機構の不要およびアンギュラピンならびにルーズコア機構の設置に伴う金型本体への傾斜加工の不要を実現し、金型製造コストを抑えることができる。本アンダーカット抜き装置により樹脂成形品を製造すれば、金型の原価を低減した製品を市場に供給することができる。
【発明を実施するための最良の形態】
【００３３】
以下、図面に基づき本発明の好適な各種の実施の形態を説明する。  
図１〜図３は本発明の第１の実施の形態を示している。  
成形金型１０は、固定型１１と、可動型１５と、エジェクタ台板１７とを備えて成る。
【００３４】
樹脂成形用金型装置２０は、樹脂成形品Ｐの型抜き時にアンダーカット部Ｐ１を抜くための構成を組み込むものである。
【００３５】
樹脂成形用金型装置２０は、エジェクタピン２１が型抜き方向に突き出せるように、該エジェクタピン２１の基端部２２がエジェクタ台板１７にノックピン２２ａで固結され、このエジェクタピン２１の先端部２３に連結されるアンダーカット抜き装置３０が可動型１５に設けられて成る。
【００３６】
アンダーカット抜き装置３０は、可動型１５内に収容されるホルダ４０と、エジェクタピン２１の先端部２３が連結されてホルダ４０内で抜き方向に摺動可能に保持される保持駒５０と、保持駒５０に型抜き方向とは交差する逃げ方向に移動可能に嵌合された逃げ動作駒６０とより成る。
【００３７】
逃げ動作駒６０の先端部には、樹脂成形品Ｐのアンダーカット部Ｐ１を成形するアンダーカット成形部６１が設けられている。逃げ動作駒６０の基部にはあり溝６２が形成され、保持駒５０の先端部には、あり溝６２に嵌合するあり溝条５１が設けられており、これにより、逃げ動作駒６０が、保持駒５０に型抜き方向とは交差する逃げ方向に移動可能になっている。
【００３８】
ホルダ４０には斜溝４１が設けられ、逃げ動作駒６０に突設された斜条６３が摺動可能に嵌合しており、これにより逃げ動作駒６０が型抜き動作時にアンダーカットからの逃げ方向に移動可能に構成されている。
【００３９】
なお、斜溝４１はホルダ４０と保持駒５０とのいずれに設けてもよく、他方に斜条６３を設ければよい。要するに、逃げ動作駒６０が型抜き動作時にアンダーカットからの逃げ方向に移動可能に構成されていればよい。
【００４０】
型抜き動作時のエジェクタ台板１７によるエジェクタピン２１の抜き動作に従い保持駒５０がエジェクト方向に移動すると、保持駒５０に押された前記逃げ動作駒６０が、型抜き方向に移動するとともにアンダーカットからの逃げ方向に移動し、樹脂成形品Ｐを型抜き可能にするよう構成されている。
【００４１】
次に作用を説明する。  
樹脂成形用金型装置２０によれば、樹脂成形品Ｐの成形工程における型抜き時にアンダーカット部Ｐ１を逃げるためのアンダーカット抜き装置３０を容易に組み込むことができる。
【００４２】
図１（ａ）は樹脂成形品Ｐの成形が完了した状態を示している。この状態から可動型１５が固定型１１から離れると、樹脂成形品Ｐの片側があらわれる。次いでエジェクタ台板１７が型抜きのために樹脂成形品Ｐを可動型１５から離間させるように移動する。
【００４３】
可動型１５が固定型１１から離間し、型抜きエジェクタ時にエジェクタ台板１７が樹脂成形品Ｐを突くように動作すると、基端部２２がエジェクタ台板１７に型抜き動作方向に突き出せるように固結されたエジェクタピン２１の先端部２３がその動きに応じて型抜き方向に真っ直ぐに動作する。
【００４４】
図１（ｂ）でわかるように、アンダーカット抜き装置３０では、可動型１５内に収容されているホルダ４０内で、エジェクタピン２１の先端部２３が連結されて保持駒５０が該ホルダ４０内で抜き方向に摺動する。保持駒５０と共に、保持駒５０に型抜き方向とは交差する逃げ方向に移動可能に嵌合された逃げ動作駒６０も移動し、ホルダ４０と逃げ動作駒６０とは相対的に変位する。
【００４５】
ホルダ４０と逃げ動作駒６０との一方に設けられた斜溝４１と斜条６３により、逃げ動作駒６０は、斜溝４１または斜条６３に摺動可能に嵌合して案内され、逃げ動作駒６０はアンダーカットからの逃げ方向に移動する。
【００４６】
このようにして、図１（ｃ）の状態になると、型抜き動作時のエジェクタピン２１の抜き動作に従い保持駒５０がエジェクト方向に移動し、保持駒５０に押された逃げ動作駒６０が、型抜き方向に移動するとともにアンダーカットからの逃げ方向に移動し、アンダーカット成形部６１がアンダーカット部Ｐ１から離れて樹脂成形品Ｐを型抜き可能にする。
【００４７】
樹脂成形品Ｐが抜き去られると、エジェクタピン２１は成形時の位置に戻り、逃げ動作駒６０も保持駒５０に引かれて原位置に戻る。可動型１５も成形位置に戻って次の樹脂成形品Ｐの成形がなされる。
【００４８】
樹脂成形品Ｐの型抜きのストロークが大きい場合には、ホルダ４０および逃げ動作駒６０をストロークに応じた長さに設定する。
【００４９】
図４は本発明の第２の実施の形態を示している。  
なお、第１の実施の形態と同種の部位には同一符号を付し重複した説明を省略する。以下の実施の形態でも同様である。  
本実施の形態では、アンダーカット部Ｐ１からのアンダーカット成形部６１の逃げ方向に角度があるものに対応したものである。
【００５０】
図４でわかるように、樹脂成形品Ｐが傾斜しており、その分だけアンダーカット部Ｐ１にも角度がついている。  
このように逃げ方向に角度がある場合は、保持駒５０と逃げ動作駒６０とが嵌合するあり溝条５１とあり溝６２との嵌合角度を当該角度にあわせる。
【００５１】
図４（ａ）の樹脂成形品Ｐの成形が完了した状態から可動型１５が固定型１１から離れると、樹脂成形品Ｐの片側があらわれる。次いで図４（ｂ）でエジェクタ台板１７が型抜きのために樹脂成形品Ｐを可動型１５から離間させるように移動する。
【００５２】
保持駒５０はホルダ４０内で角度を有する抜き方向に摺動する。保持駒５０と共に、保持駒５０に型抜き方向とは交差する逃げ方向に移動可能に嵌合された逃げ動作駒６０も移動し、ホルダ４０と逃げ動作駒６０とは相対的に変位する。
【００５３】
図４（ｃ）の状態になると、型抜き動作時のエジェクタピン２１の抜き動作に従い保持駒５０がエジェクト方向に移動し、保持駒５０に押された逃げ動作駒６０が、型抜き方向に移動するとともにアンダーカットからの逃げ方向に移動し、アンダーカット成形部６１が対応する角度でアンダーカット部Ｐ１から離れて樹脂成形品Ｐを型抜き可能にする。
【００５４】
図５〜図７は本発明の第３の実施の形態を示している。  
本実施の形態では、エジェクタ台板１７のエジェクトストロークが大きいような場合に対応したものである。
【００５５】
アンダーカット抜き装置３０では、逃げ動作駒６０は、保持駒５０に型抜き方向とは交差する逃げ方向に移動可能でかつ該保持駒５０とは離脱しないよう嵌合されている。このため、保持駒５０のあり溝条５１に位置決め溝５２，５３が穿設され、逃げ動作駒６０には、位置決め溝５２，５３に弾撥的に係合する弾撥ボール６５が設けられている。
【００５６】
逃げ動作駒６０が保持駒５０とは離脱しないよう嵌合されているので、図５（ａ）では、逃げ動作駒６０はアンダーカット成形部６１が樹脂成形品Ｐのアンダーカット部Ｐ１の位置にあり、弾撥ボール６５が位置決め溝５２に係合して安定している。
【００５７】
樹脂成形品Ｐの成形が完了した後、エジェクタ台板１７がエジェクト方向に動くと、逃げ動作駒６０は、ホルダ４０と逃げ動作駒６０との一方に設けられた斜溝４１または斜条６３に案内され、アンダーカットからの逃げ方向に移動すると共に、図５（ｂ）の状態からさらに、ホルダ４０から突出してアンダーカットからの逃げ方向に移動する。逃げ動作駒６０の弾撥ボール６５は位置決め溝５３に係合して逃げ動作駒６０が保持される。
【００５８】
逃げ動作駒６０はホルダ４０より外に突出するが、保持駒５０とは離脱しないよう嵌合されているので抜けないよう保持される。これにより、エジェクト動作時のストロークが大きい場合でも対応することができる。
【００５９】
図８は本発明の第４の実施の形態を示している。  
本実施の形態は、エジェクタ台板１７のエジェクトストロークが大きいような場合に対応したものである。
【００６０】
アンダーカット抜き装置３０では、ホルダ４０は、可動型１５内に出没可能に収容されるようになっている。このため、エジェクタピン２１の外周に押上げスリーブ２４が嵌装されている。
【００６１】
図８（ａ）の状態から図８（ｂ）の状態を経てさらに図８（ｃ）の状態になると、型抜き動作時のエジェクタピン２１の抜き動作に従い保持駒５０がエジェクト方向に移動し、保持駒５０に押された逃げ動作駒６０が、型抜き方向に移動するとともにアンダーカットからの逃げ方向に移動し、さらに、スリーブ２４が押すので、ホルダ４０も逃げ動作駒６０を保持して可動型１５から突出して、樹脂成形品Ｐを型抜き可能にする。
【００６２】
ホルダ４０が逃げ動作駒６０を保持して突出するので、エジェクト動作時のストロークが相当に大きい場合でも対応することができる。
【００６３】
図９〜図１１は本発明の第５の実施の形態を示している。  
本実施の形態は、対称なるアンダーカット形状を有するボス等のように、双方向に逃げ動作を要するような場合に対応したものである。
【００６４】
本実施の形態のように、相対する双方向に逃げ動作を要するものでは、逃げ動作駒６０，６０を向かい合わせて一対配設し、型抜き動作時のエジェクタピン２１，２１の抜き動作に従い該一対の逃げ動作駒６０が相互に反対方向のアンダーカットからの逃げ方向に移動するようにしてある。保持駒５０はエジェクタピン２１の上部に一体的に形成されている。
【００６５】
向かい合わせて一対配設されている逃げ動作駒６０，６０は、型抜き動作時のエジェクタピン２１の抜き動作に従い一対の逃げ動作駒６０，６０が相互に反対方向のアンダーカットからの逃げ方向に移動して、アンダーカット成形部６１から樹脂成形品Ｐのアンダーカット部Ｐ１を逃がして型抜き可能にする。
【００６６】
保持駒５０をエジェクタピン２１の上部に一体的に形成して設けると、構造が簡単になりコストダウンができる。なお、エジェクタピン２１，２１は一個にして共有してもよい。
【００６７】
図１２〜図１３は本発明の第６の実施の形態を示している。  
本実施の形態は、部分型１８でアンダーカットのある部位を成形する場合に対応したものである。
【００６８】
樹脂成形品Ｐの端にあるアンダーカット部Ｐ１を成形する部分型１８が逃げ動作駒６０に固定されている。アンダーカット部Ｐ１はここでは、樹脂成形品Ｐの端部のフランジに穿設する透孔であり、部分型１８にはアンダーカット成形部１８ａが形成されている。
【００６９】
保持駒５０はエジェクタピン２１の上部に一体的に形成されており、あり溝条５１に嵌合する逃げ動作駒６０に部分型１８がボルト１８ｂにより締結固定されている。
【００７０】
図１２（ａ）の状態から図１２（ｂ）に示すように、型抜き動作時にエジェクタピン２１が樹脂成形品Ｐを抜く方向に動作すると、エジェクタピン２１の上部の保持駒５０により逃げ動作駒６０が押されて上昇する。逃げ動作駒６０とともに部分型１８も一体的にアンダーカットからの逃げ方向に移動する。このとき、逃げ動作駒６０は離脱しながらアンダーカット部Ｐ１からの逃げ方向に移動し、樹脂成形品Ｐは型抜き可能になる。簡単な構成でアンダーカット部Ｐ１を成形する部分型１８に逃がし構造を設けることができる。
【００７１】
図１４〜図１５は本発明の第７の実施の形態を示している。  
本実施の形態は、固定型１１に設けた部分型１９でアンダーカットのある部位を成形する場合に対応したものである。
【００７２】
樹脂成形品Ｐの端にあるアンダーカット部Ｐ１を成形する部分型１９が逃げ動作駒６０に固定されている。アンダーカット部Ｐ１はここでは、樹脂成形品Ｐの端部のフランジに穿設する透孔であり、部分型１９にはアンダーカット成形部１９ａが形成されている。
【００７３】
アンダーカット抜き装置３０は固定型１１に設けられていて、前記各実施例とは姿勢が逆になっている。アンダーカット抜き装置３０の逃げ動作駒６０には、樹脂成形品Ｐの端にあるアンダーカット部Ｐ１を成形する部分型１９がボルト１９ｂで締結して保持されている。
【００７４】
アンダーカット抜き装置３０のホルダ４０内には保持駒５０を確実に移動させるためのばね４５が配設されている。このばね４５は動作の確実さを期すものであり、動作原理上必須のものではない。同様に初期動作を確実にするため、可動型１５側に抜け動作方向への斜ピン１５ａが植設され、斜ピン１５ａに嵌合する斜溝１９ｃが部分型１９に設けられている。
【００７５】
図１４（ａ）の状態から図１４（ｂ）に示すように、型開き動作時に可動型１５が固定型１１から離間するに従い、逃げ動作駒６０がアンダーカットからの逃げ方向に移動し、樹脂成形品Ｐを型抜き可能にする。
【００７６】
すなわち、固定型１１と可動型１５とが離間を始めると、斜ピン１５ａから部分型１９の斜溝１９ｃが離れようとし、ばね４５の弾撥力もあって部分型１９は円滑にアンダーカットから逃げる方向に移動を始める。
【００７７】
固定型１１側にアンダーカット抜き装置３０および部分型１９が保持されたまま、固定型１１と可動型１５とは離間し、図１４（ｂ）でわかるように樹脂成形品Ｐのアンダーカット部Ｐ１は開放され、樹脂成形品Ｐは型抜き可能になる。
【００７８】
このように、型開き時に、部分型１９を保持した逃げ動作駒６０が固定型１１内に収容されるホルダ４０に対して変位する。成形が終わって可動型１５が固定型１１から離間する動作をすると、逃げ動作駒６０は、型開き動作時に可動型１５が固定型１１から離間するに従い、逃げ動作駒６０は斜溝４１または斜条６３に案内され、アンダーカットからの逃げ方向に移動し、樹脂成形品Ｐを型抜き可能にする。
【図面の簡単な説明】
【００７９】
【図１】本発明の第１の実施の形態に係る樹脂成形用金型装置を示す説明図である。
【図２】本発明の第１の実施の形態に係る樹脂成形用金型装置の要部を示す分解斜視図である。
【図３】本発明の第１の実施の形態に係る樹脂成形用金型装置の要部を示す説明斜視図である。
【図４】本発明の第２の実施の形態に係る樹脂成形用金型装置を示す説明図である。
【図５】本発明の第３の実施の形態に係る樹脂成形用金型装置を示す説明図である。
【図６】本発明の第３の実施の形態に係る樹脂成形用金型装置の要部を示す分解斜視図である。
【図７】本発明の第３の実施の形態に係る樹脂成形用金型装置の要部を示す説明図である。
【図８】本発明の第４の実施の形態に係る樹脂成形用金型装置の要部を示す説明図である。
【図９】本発明の第５の実施の形態に係る樹脂成形用金型装置を示す説明図である。
【図１０】本発明の第５の実施の形態に係る樹脂成形用金型装置の要部を示す分解斜視図である。
【図１１】本発明の第５の実施の形態に係る樹脂成形用金型装置の要部を示す説明斜視図である。
【図１２】本発明の第６の実施の形態に係る樹脂成形用金型装置を示す説明図である。
【図１３】本発明の第６の実施の形態に係る樹脂成形用金型装置の要部を示す斜視図である。
【図１４】本発明の第７の実施の形態に係る樹脂成形用金型装置を示す説明図である。
【図１５】本発明の第７の実施の形態に係る樹脂成形用金型装置の要部を示す図１４に対し９０度変位して示す要部縦断面図である。
【符号の説明】
【００８０】
Ｐ…樹脂成形品
Ｐ１…アンダーカット部
１０…成形金型
１１…固定型
１５…可動型
１５ａ…斜ピン
１７…エジェクタ台板
１８…部分型
１８ａ…アンダーカット成形部
１８ｂ…ボルト
１９…部分型
１９ａ…アンダーカット成形部
１９ｂ…ボルト
１９ｃ…斜溝
２０…樹脂成形用金型装置
２１…エジェクタピン
２２…基端部
２３…先端部
２４…スリーブ
３０…アンダーカット抜き装置
４０…ホルダ
４１…斜溝
４５…ばね
５０…保持駒
５１…あり溝条
５２…位置決め溝
５３…位置決め溝
６０…逃げ動作駒
６１…アンダーカット成形部
６２…あり溝
６３…斜条
６５…弾撥ボール
【図１】
2007176047.tif 000003
【図２】
2007176047.tif 000004
【図３】
2007176047.tif 000005
【図４】
2007176047.tif 000006
【図５】
2007176047.tif 000007
【図６】
2007176047.tif 000008
【図７】
2007176047.tif 000009
【図８】
2007176047.tif 000010
【図９】
2007176047.tif 000011
【図１０】
2007176047.tif 000012
【図１１】
2007176047.tif 000013
【図１２】
2007176047.tif 000014
【図１３】
2007176047.tif 000015
【図１４】
2007176047.tif 000016
【図１５】
2007176047.tif 000017
【手続補正書】
【提出日】平成18年3月22日(2006.3.22)
【手続補正１】
【補正対象書類名】特許請求の範囲
【補正対象項目名】請求項４
【補正方法】変更
【補正の内容】
【請求項４】
前記ホルダおよび逃げ動作駒を樹脂成形品の型抜きのストロークに応じた長さに設定することを特徴とする請求項１，２または３に記載の樹脂成形用金型装置。
【手続補正２】
【補正対象書類名】明細書
【補正対象項目名】０００９
【補正方法】変更
【補正の内容】
【０００９】
［４］前記ホルダ（４０）および逃げ動作駒（６０）を樹脂成形品（Ｐ）の型抜きのストロークに応じた長さに設定することを特徴とする［１］，［２］または［３］に記載の樹脂成形用金型装置（２０）。